(57)【要約】【課題】利便性に優れた表示付装着具及び表示付携帯機を提供する。【解決手段】弾性を有する装着部１０を備え、携帯機４０と通信可能な制御部を有する本体部３０と、本体部３０に設けられ、携帯機４０の情報を表示する表示部２０と、を有し、本体部３０は、携帯機４０に着脱可能にすることにより、表示付装着具１００を構成する。【選択図】図１
2017117006.tif 000002
【特許請求の範囲】
【請求項１】
弾性を有する装着部を備え、携帯機と通信可能な制御部を有する本体部と、
前記本体部に設けられ、前記携帯機の情報を表示する表示部と、を有し、
前記本体部は、前記携帯機に着脱可能であることを特徴とする表示付装着具。
【請求項２】
前記本体部は、前記携帯機に近接して配置されることを特徴とする請求項１に記載の表示付装着具。
【請求項３】
前記本体部は、前記制御部による前記携帯機との通信により、電気的に接続されることを特徴とする請求項１又は２に記載の表示付装着具。
【請求項４】
前記装着部は、クリップ形状であることを特徴とする請求項１から３のいずれか１項に記載の表示付装着具。
【請求項５】
前記表示部は、電子ペーパであることを特徴とする請求項１から４のいずれか１項に記載の表示付装着具。
【請求項６】
請求項１から５のいずれかの表示付装着具と、
前記携帯機と、を有し、
前記表示付装着具と前記携帯機が一体に形成されていることを特徴とする表示付携帯機。
【請求項７】
前記携帯機は、カード形状であることを特徴とする請求項６に記載の表示付携帯機。
【発明の詳細な説明】
【技術分野】
【０００１】
本発明は、表示付装着具及び表示付携帯機に関する。
【背景技術】
【０００２】
従来の技術として、携帯機内部に記憶保持される内容を携帯機本体の表示部に表示可能とした携帯機が知られている（例えば、特許文献１参照）。
【０００３】
この携帯機は、カード型の本体と、本体内に設けられる不揮発性メモリと、本体に設けられ不揮発性メモリの内容を表示する表示部と、本体に設けられ厚み方向に圧力が印加されると電力を生成し不揮発性メモリと表示部とに電力を供給する圧電素子部を含んで構成されている。この携帯機によれば、携帯機の内部に記憶内容表示方法を含み、内部記録情報を読み出してメモリの内容を本体表面に形成された表示部に表示させることができるとされている。
【先行技術文献】
【特許文献】
【０００４】
【特許文献１】特開２００４−７８７３１号公報
【発明の概要】
【発明が解決しようとする課題】
【０００５】
しかし、特許文献１の携帯機は、携帯機をそのまま使用する場合は特に問題はないが、身の回りの物品に装着することはできない。携帯機を物品に装着し、表示部を視認できる形態とする場合には、携帯機本体に装着するための装着部を備え表示部を有する表示機能を有する装着具を要する。また、この装着具を携帯機本体にコネクタ等で電気的に接続すると、接続不良や耐久性等の問題もある。
【０００６】
従って、本発明の目的は、利便性に優れた表示付装着具及び表示付携帯機を提供することにある。
【課題を解決するための手段】
【０００７】
［１］上記目的を達成するため、弾性を有する装着部を備え、携帯機と通信可能な制御部を有する本体部と、前記本体部に設けられ、前記携帯機の情報を表示する表示部と、を有し、前記本体部は、前記携帯機に着脱可能であることを特徴とする表示付装着具を提供する。
【０００８】
［２］前記本体部は、前記携帯機に近接して配置されることを特徴とする上記［１］に記載の表示付装着具であってもよい。
【０００９】
［３］また、前記本体部は、前記制御部による前記携帯機との通信により、電気的に接続されることを特徴とする上記［１］又は［２］に記載の表示付装着具であってもよい。
【００１０】
［４］また、前記装着部は、クリップ形状であることを特徴とする上記［１］から［３］のいずれか１に記載の表示付装着具であってもよい。
【００１１】
［５］また、前記表示部は、電子ペーパであることを特徴とする上記［１］から［４］のいずれか１に記載の表示付装着具であってもよい。
【００１２】
［６］上記目的を達成するため、上記［１］から［４］のいずれか１に記載の表示付装着具と、前記携帯機と、を有し、前記表示付装着具と前記携帯機が一体に形成されていることを特徴とする表示付携帯機を提供する。
【００１３】
［７］前記携帯機は、カード形状であることを特徴とする上記［６］に記載の表示付携帯機であってもよい。
【発明の効果】
【００１４】
本発明によれば、利便性に優れた表示付装着具及び表示付携帯機を提供することが可能となる。
【図面の簡単な説明】
【００１５】
【図１】図１（ａ）は、本発明の実施の形態に係る表示付装着具及び表示付携帯機の斜視図であり、図１（ｂ）は、表示付装着具を取り付けて表示付携帯機とした場合の側面図（Ｂ方向から見た図）である。
【図２】図２は、本発明の実施の形態に係る表示付携帯機の構成を示す構成ブロック図である。
【図３】図３は、本発明の実施の形態に係る表示付携帯機の外観図である。
【図４】図４は、本発明の実施の形態に係る表示付携帯機を身の回りの物品に装着した使用状態を示すもので、図４（ａ）はカードケースに装着して使用する例を示す図であり、図４（ｂ）はバッグに装着して使用する例を示す図であり、図４（ｃ）はネクタイに装着して使用する例を示す図であり、図４（ｄ）はベルトに装着して使用する例を示す図である。
【発明を実施するための形態】
【００１６】
（本発明の実施の形態）
図１（ａ）は、本発明の実施の形態に係る表示付装着具及び表示付携帯機の斜視図であり、図１（ｂ）は、表示付装着具を取り付けて表示付携帯機とした場合の側面図（Ｂ方向から見た図）である。図２は、本発明の実施の形態に係る表示付携帯機の構成を示す構成ブロック図である。
【００１７】
本発明の実施の形態に係る表示付装着具１００は、弾性を有する装着部１０を備え、携帯機４０と通信可能な制御部を有する本体部３０と、本体部３０に設けられ、携帯機４０の情報を表示する表示部２０と、を有し、本体部３０は、携帯機４０に着脱可能に構成されている。
【００１８】
また、本発明の実施の形態に係る表示付携帯機２００は、上記示した表示付装着具１００と、携帯機４０と、を有し、表示付装着具１００と携帯機４０が一体に形成されて構成されている。
【００１９】
（装着部１０）
表示付装着具１００は、図１（ａ）に示すように、例えば、クリップ状の形状をした装着部１０を備える。この装着部１０は、本体部３０から湾曲部１１を介して形成されている。湾曲部１１は、軟質樹脂又は金属により形成されることにより、弾性を有する。
【００２０】
図１（ａ）、（ｂ）に示すように、本体部３０から湾曲部１１を介して形成された装着部１０は、例えば、図示Ａ方向に携帯機４０に着脱可能に取付けられる。装着部１０は弾性を有し、装着部１０の内面１２と携帯機４０の取付面４２が当接した状態で取付けられている。また、装着部１０の端面１３と携帯機４０の取付端面４３も当接した状態で取付けられている。図示省略するが、上記示した当接した状態で、装着部１０、すなわち、本体部３０が携帯機４０から脱落しないように、係止構造が設けられている。あるいは、本体部３０と携帯機４０が上記示した当接した状態で固定されていてもよい。
【００２１】
上記示したように、本体部３０は、装着部１０を介して携帯機４０に取付けられるが、コネクタやハーネス等により電気的には接続されていない。後述するように、表示付装着具１００は、携帯機４０と通信手段により電気的に接続される。
【００２２】
図１（ｂ）に示すように、表示付装着具１００と携帯機４０が組み合わされた表示付携帯機２００は、本体部３０側の内面２２と携帯機４０の表面４１が、装着部１０の弾性により、離間可能である。すなわち、クリップ形状の装着部１０は、本体部３０側の内面２２と携帯機４０の表面４１との隙間に身の回りの物品を挟み込んで装着することができる。上記示した主に湾曲部１１の弾性により、物品に装着することができる。なお、装着部１０が装着される身の回りの物品は、カードケース、バッグ、ネクタイ、ベルト等が挙げられるが、これに限られず、装着部１０が挟み込むことができる厚さを備えた物品であれば、装着することができる。
【００２３】
（表示部２０）
表示部２０は、図１（ａ）に示すように、本体部３０の表面に、外部から視認できる範囲に取付けられている。
【００２４】
表示部２０は、液晶ディスプレイ、有機ＥＬ等の種々のものが使用可能であるが、本実施の形態では、例えば、電子ペーパを使用する。電子ペーパは、表示基板にプラスチックフィルムを使い、紙のように薄く作ることができる。また、表示の書き換え時の消費電力も非常に少なく、また、表示中に電力を消費しないという特徴を有する。電子ペーパの方式としては、例えば、電気泳動方式、化学変化方式、マイクロカプセル方式、液晶方式等のものが使用できる。
【００２５】
表示部２０は、電子ペーパを使用するので、本体部３０の表面に薄く貼付けられて取付けられている。図１（ａ）に示すように、表示部２０は、湾曲部１１の一部を含んで貼付けられているが、その曲面に沿って貼付けることができる。また、表示付装着具１００をクリップとして他の物品に装着した場合でも、表示部２０は本体部３０（湾曲部１１）と共に変形することができる。
【００２６】
（本体部３０）
本体部３０は、携帯機４０と通信可能な制御部を有する。この通信手段は、例えば、ＬＦ（Low Frequency）通信である。本体部３０は、図２に示すように、携帯機４０との通信を行なうと共に、表示部２０の表示制御を行なうものである。
【００２７】
本体部３０は、表示制御部３５、受信回路３４、電力発生部３８、及び表示部２０から概略構成されている。
【００２８】
表示制御部３５は、メモリ３５Ａ内に予め記憶された表示データ及び携帯機４０から受信した表示信号ＳＤに基づいて表示部２０の表示制御を行なう。
【００２９】
受信アンテナ３７は、携帯機４０から所定の周波数（本実施の形態では約１３０ｋＨｚ）の表示信号ＳＤを受信するＬＦ（Low Frequency）アンテナからなり、受信回路３４に接続されている。受信アンテナ３７としては、フェライトからなる磁性体のコアにコイルが巻装されたコイルアンテナが用いられる。
【００３０】
電力発生部３８は、表示部２０、受信回路３４、表示制御部３５に電源供給を行なう。電力発生部３８は、通信インターフェースを介して、ＬＦ通信により、無線周波信号を受信して無線周波信号に従って、各回路部に動作電圧を供給する。この電力発生部３８は、表示部２０の動作電圧に直流電圧を変換するために、直流電圧変換器を更に含むことができる。また、電力発生部としては、例えば、一次電池、二次電池または太陽電池によって提供することもできる。二次電池は、例えば、コンデンサ、スーパーコンデンサ、急速充電コンデンサ、リチウム電池、あるいは、二次電池を接触する方法又はコンタクトレスの方法で充電することができる、その他の充電式電池である。
【００３１】
（携帯機４０）
携帯機４０は、図２に示すように、外部機器１５０との通信を行なうと共に、表示信号ＳＤを表示付装着具１００へ送信することにより、表示部２０の表示制御を行なうものである。携帯機４０は、携帯通信部４４、携帯制御部４５、及び電池４８から概略構成されている。
【００３２】
携帯通信部４４は、通信により、所定の機能を実行させる実行信号を外部機器１５０に送信する送信回路４４Ａ、及び外部機器１５０からのＩＤコードやリクエスト信号ＳＲを受信する受信回路４４Ｂからなり、携帯制御部４５に接続されている。
【００３３】
携帯制御部４５は、予め設定されたＩＤコードが記憶されたメモリ４５Ａを有するマイクロコンピュータからなり、受信回路４４Ｂからリクエスト信号ＳＲが入力された場合に所定のＩＤコードを含むＩＤコード信号ＳＩＤを応答信号として送信回路４４Ａに出力し、送信アンテナ４６を介して実行信号を送信するように構成されている。また、携帯制御部４５は、メモリ４５Ａ内に予め記憶された表示データ及び外部機器１５０から受信した表示信号ＳＤに基づいて、通信手段（ＬＦ通信）により表示部２０の表示制御を行なう。
【００３４】
送信アンテナ４６は、所定の周波数（本実施の形態では約３００ＭＨｚ）のＩＤコード信号ＳＩＤ（電波）を外部機器１５０に送信するＵＨＦ（Ultra High Frequency）アンテナからなり、送信回路４４Ａに接続されている。送信アンテナ４６は、例えば、基板上にアンテナパターンとして設けることにより形成されている。
【００３５】
受信アンテナ４７は、外部機器１５０から所定の周波数（本実施の形態では約１３０ｋＨｚ）のリクエスト信号ＳＲを受信するＬＦ（Low Frequency）アンテナからなり、受信回路４４Ｂに接続されている。受信アンテナ４７としては、フェライトからなる磁性体のコアにコイルが巻装されたコイルアンテナが用いられる。
【００３６】
電池４８は、例えばリチウム電池からなり、携帯通信部４４及び携帯制御部４５等に電源を供給するように構成されている。
【００３７】
（外部機器１５０）
図２において、外部機器１５０は、装置通信部１３及び装置制御部１４、送信アンテナ１５、受信アンテナ１６を備える。外部機器１５０は、例えば、車両に搭載され、かつ図示しない車両用コントロール装置（ＥＣＵ）に接続される。
【００３８】
装置通信部１３は、リクエスト信号ＳＲを送信する送信回路１３Ａ及び携帯機４０からのＩＤコード信号ＳＩＤをそれぞれ受信する受信回路１３Ｂからなり、装置制御部１４に接続されている。
【００３９】
装置制御部１４は、予め設定されたＩＤコードが記憶されたメモリ１４Ａを有するマイクロコンピュータからなり、リクエスト信号ＳＲを間欠的に出力するように構成されている。また、受信回路１３ＢからＩＤコード信号ＳＩＤが入力された場合に、そのＩＤコード信号ＳＩＤに含まれるＩＤコードとメモリ１４Ａに記憶されたＩＤコードとの比較（ＩＤコード照合）を行うと共に、このＩＤコード照合の結果に基づいて外部機器１５０の駆動制御を行うように構成されている。
【００４０】
送信アンテナ１５は、送信回路１３Ａに接続され、携帯機４０に所定の周波数（本実施の形態では約１３０ｋＨｚ）のリクエスト信号ＳＲを送信するように構成されている。
【００４１】
受信アンテナ１６は、受信回路１３Ｂに接続され、携帯機４０から所定の周波数（本実施の形態では約３００ＭＨｚ）のＩＤコード信号ＳＩＤ（電波）を受信するように構成されている。
【００４２】
（表示付携帯機２００）
表示付携帯機２００は、上記示した表示付装着具１００と携帯機４０を有し、表示付装着具１００と携帯機４０が一体に形成されて構成されている。
【００４３】
図３は、本発明の実施の形態に係る表示付携帯機の外観図である。表示付装着具１００は、携帯機４０がカード型の携帯機である。これにより、クリップ状の形状をした装着部１０と携帯機４０の隙間に身の回りの物品を挟み込んで装着しやすくなる。すなわち、クリップ形状の装着部１０により、本体部３０側の内面２２と携帯機４０の表面４１との隙間に身の回りの物品を挟み込んで装着することができる。
【００４４】
図３に示すように、表示部２０は、表示付携帯機２００において、外部から視認しやすい部位に取付けられている。また、この表示部２０には、メモリ３５Ａ内に予め記憶された表示データ及び携帯機４０から受信した表示信号ＳＤに基づく情報が、表示マーク２５として表示される。
【００４５】
（表示付携帯機２００の使用態様）
図４は、本発明の実施の形態に係る表示付携帯機を身の回りの物品に装着した使用状態を示すもので、図４（ａ）はカードケースに装着して使用する例を示す図であり、図４（ｂ）はバッグに装着して使用する例を示す図であり、図４（ｃ）はネクタイに装着して使用する例を示す図であり、図４（ｄ）はベルトに装着して使用する例を示す図である。
【００４６】
図４（ａ）に示すように、表示付携帯機２００は、例えば、カードケース３１０に装着して使用することができる。カードケース３１０の差込み部３１１に、カード型の携帯機を挿入する。クリップ状の形状をした装着部１０により、容易にはカードケース３１０から脱落せずに使用できる。また、表示部２０は、装着部１０の表面にあるので、視認しやすい状態で使用できる。
【００４７】
また、図４（ｂ）に示すように、表示付携帯機２００は、例えば、バッグ３２０に装着して使用することができる。例えば、バッグ３２０の口部３２１に、カード型の携帯機を挟み込む。クリップ状の形状をした装着部１０により、容易にはバッグ３２０から脱落せずに使用できる。また、表示部２０は、装着部１０の表面にあるので、視認しやすい状態で使用できる。
【００４８】
また、図４（ｃ）に示すように、表示付携帯機２００は、例えば、ネクタイ３３０に装着して使用することができる。例えば、ネクタイピンのように、小型の携帯機を挟み込む。クリップ状の形状をした装着部１０により、容易にはネクタイ３３０から脱落せずに使用できる。また、表示部２０は、装着部１０の表面にあるので、視認しやすい状態で使用できる。
【００４９】
また、図４（ｄ）に示すように、表示付携帯機２００は、例えば、ベルト３４０に装着して使用することができる。例えば、ベルト部分に、小型あるいはカード型の携帯機を挟み込む。クリップ状の形状をした装着部１０により、容易にはベルト３４０から脱落せずに使用できる。また、表示部２０は、装着部１０の表面にあるので、視認しやすい状態で使用できる。
【００５０】
上記説明したように、表示付携帯機２００は、表示部２０を備える本体部３０（表示付装着具１００）と携帯機４０が、装着部１０を介して、常に近接して配置されることになる。これにより、本体部３０と携帯機４０の間のＬＦ通信が可能となり、安定した表示が可能である。
【００５１】
（実施の形態の効果）
本発明の実施の形態によれば、以下のような効果を有する。
（１）本実施の形態に係る表示付装着具１００、表示付携帯機２００は、弾性を有する装着部１０を備え、携帯機４０と通信可能な制御部を有する本体部３０と、本体部３０に設けられ、携帯機４０の情報を表示する表示部２０と、を有し、本体部３０は、携帯機４０に着脱可能に構成されている。よって、表示付装着具１００を携帯機４０に着脱可能な形状、構造にすることにより、種々の携帯機を身の回りの物品に装着して使用することができる。特に、装着部１０をクリップ形状にすることにより、種々の身の回りの物品に装着して使用することができる。
（２）表示付装着具１００と携帯機４０は、コネクタやハーネス等を介さずに、通信手段により表示データのやりとりをする。これにより、表示付装着具１００と携帯機４０を着脱可能とすることが容易になる。また、コネクタやハーネス等を使用しないので、変形等を繰り返して受けるクリップ形状の装着部１０等での接続不良等を抑制でき、耐久性の向上が可能となる。
（３）これにより、携帯機を引掛けて持ち運ぶことが出来るようになり、利便性が向上する。また、クリップ形状を利用し、表示を設けることで、ユーザーが必要な情報を伝えることができる。また、ユーザー毎に携帯機をカスタマイズできる。
【００５２】
以上、本発明のいくつかの実施の形態を説明したが、これらの実施の形態は、一例に過ぎず、特許請求の範囲に係る発明を限定するものではない。これら新規な実施の形態は、その他の様々な形態で実施されることが可能であり、本発明の要旨を逸脱しない範囲で、種々の省略、置き換え、変更等を行うことができる。
【００５３】
本実施の形態では、通信手段としてＬＦ（Low Frequency）通信を使用する実施形態を示したが、例えば、Bluetooth（ブルートゥース）（登録商標）により行なうことも可能である。
【００５４】
また、これら実施の形態の中で説明した特徴の組合せの全てが発明の課題を解決するための手段に必須であるとは限らない。さらに、これら実施の形態は、発明の範囲及び要旨に含まれるとともに、特許請求の範囲に記載された発明とその均等の範囲に含まれる。
【符号の説明】
【００５５】
１０…装着部
１１…湾曲部
１２…内面
１３…端面
１３…装置通信部
１３Ａ…送信回路
１３Ｂ…受信回路
１４…装置制御部
１４Ａメモリ
１５…送信アンテナ
１６…受信アンテナ
２０…表示部
２２…内面
２５…表示マーク
３０…本体部
３４…受信回路
３５…表示制御部
３５Ａ…メモリ
３７…受信アンテナ
３８…電力発生部
４０…携帯機
４１…表面
４２…取付面
４３…取付端面
４４…携帯通信部
４４Ａ…送信回路
４４Ｂ…受信回路
４５…携帯制御部
４５Ａ…メモリ
４６…送信アンテナ
４７…受信アンテナ
４８…電池
１００…表示付装着具
１５０…外部機器
２００…表示付携帯機
３１０…カードケース
３１１…部
３２０…バッグ
３３０…ネクタイ
３４０ベルト
ＳＤ…表示信号
ＳＩＤ…コード信号
ＳＲ…リクエスト信号
【図１】
2017117006.tif 000003
【図２】
2017117006.tif 000004
【図３】
2017117006.tif 000005
【図４】
2017117006.tif 000006